(57)【要約】      （修正有）【課題】浴槽の残り湯を洗濯機に供給する際に、風呂水吸水ホースの取り扱いと指示誘導が容易で最後まで残り湯を吸水、供給できる。【解決手段】風呂水吸水ホース指示具を浴室壁２５もしくは浴槽壁２へ吸着させ、浴槽１４内底部排水口３の位置により、指示具本体の伸縮部材を回転させ伸縮幅を決定させる。洗濯機に接続している風呂水吸水ホースの浴槽側先端（浄化）フィルター１６の底平面が浴槽１４底部排水口３へ垂直に接触するよう風呂水吸水ホース１５の長さを適宜に調整し風呂水吸水ホース指示具の支持手段に内通させ固定する構成となっている。【選択図】図４
2014150831.tif 000002
【特許請求の範囲】
【請求項１】
棒状の指示具本体と該指示具本体の基端に設けられ、当該指示具本体と浴槽壁もしくは浴室壁に着脱可能に固定する吸着手段と、
上記指示具本体の他端に設けられ洗濯機の風呂水吸水ホースの所定位置を指示する指示手段を備えている風呂水吸水ホース指示具。
【請求項２】
前記吸着手段に接続されている指示具本体は、伸縮機能を備える構成とする請求項１に記載の風呂水吸水ホース指示具。
【請求項３】
前記指示具本体に接続されている風呂水吸水ホースを指示するためにホースを内通させる指示手段は、口径が大小変化可能なもので構成とする請求項１又は２に記載の風呂水吸水ホース指示具。
【請求項４】
前記指示手段の一部は洗濯機の振動で風呂水吸水ホースが動かぬようゴム材を使用して構成しており、洗濯終了まで風呂水吸水ホースを浴槽底部排水口へ安易に垂直に垂下、配置可能な請求項１から３に記載の風呂水吸水ホース指示具。
【発明の詳細な説明】
【技術分野】
【０００１】
本発明は浴槽の残り湯を最後まで洗濯に利用するにあたり、風呂水吸水ホースを指示、誘導する風呂水吸水ホース指示具に関する。          
【背景技術】
【０００２】
洗濯機の機能においては、節水あるいは洗浄率向上と環境に配慮を目的とし、浴槽残り湯を洗濯水として利用するため、水道水を供給する給水手段に加えて浴槽残り湯を供給する給水手段を備えた構成としている。
【０００３】
一般的に使用者が洗濯機と浴槽の位置並びに距離を考慮し風呂水吸水ホースの長さを適宜に調整する。風呂水吸水ホースの浴槽側先端に備えてある（浄化）フィルターは直径約５センチから８センチの物となるが、当該フィルターの浸水位置と角度を安定させ浴槽内底部へ垂下、配置する。
【先行技術文献】
【特許文献】
【０００４】
【特許文献１】特開２０１１−２０６１０２号公報
【発明の概要】
【発明が解決しようとする課題】
【０００５】
洗濯機の機能において、風呂水吸水ホースの浴槽側先端に備えてある（浄化）フィルターの吸水口が冠水されていないと、吸水圧の低下感知により洗濯機は吸水を中止し浴槽残り湯を供給する給水手段から自動的に水道水を供給する給水手段に切り替わり、浴槽残り湯が最後まで吸水に至らないだけでなく、水道水が供給される。洗濯進行上浴槽残り湯が減少していく事により、使用者が浴槽底部に垂下、配置した当該フィルターの浸水角度や浸水位置における浴槽残り湯の水嵩、または洗濯中の振動に因り当該フィルターを安定した角度に維持し冠水に至ることがし難く、横倒れや水嵩の浅瀬へ配置している事により、当該フィルターの吸水口が冠水に至らないと極めて節水あるいは洗浄率向上と環境に配慮といった目的にそぐわない事になる。
【０００６】
本発明は上記事情に鑑みてなされたもので、その目的は、浴槽残り湯を洗濯機に供給する際に、使用者が風呂水吸水ホースの取り扱い及び、（浄化）フィルターの角度や浴槽残り湯最終溜まり場の排水口付近に容易に安定配置することで、無駄なく最後まで吸水し、水道水を節水することのできる風呂水吸水ホースを指示、誘導する風呂水吸水ホース指示具を提供することにある。特許文献１記載の特２０１１−２０６１０２号公報は風呂水吸水ホースの加工が必要であり、その上、浴槽内底部排水口へ向け（浄化）フィルターを配置し角度を安定に至る事はし難い。
【課題を解決するための手段】
【０００７】
上記目的を達成するために、棒状の指示具本体と該指示具本体の基端に設けられ、当該指示具本体と浴槽壁もしくは浴室壁に着脱可能に固定する吸着手段と、
上記指示具本体の他端に設けられ洗濯機の風呂水吸水ホースの所定位置を指示する指示手段を備えている風呂水吸水ホース指示具である。
【発明の効果】
【０００８】
上記構成によれば、風呂水吸水ホース浴槽側先端（浄化）フィルターを浴槽内底部排水口へ向け垂直に浸水させることが容易に可能になり、最後まで浴槽残り湯を吸水し水道水の節水となる。
【図面の簡単な説明】
【０００９】
【図１】平面図で指示具の使用前の状態を示す図
【図２】平面図で指示具本体を伸ばしている使用前の状態を示す図
【図３】平面図で指示具を使用状況に以降を示す図
【図４】本発明が浴室の浴槽で使用状況を表す第１実施例を示す図
【図５】本発明が浴槽で使用状況を表す第２実施例を示す図
【図６】平面図で指示具を示す図
【図７】平面図で指示具を使用状態に以降を示す図
【図８】（浄化）フィルターを示す図
【図９】指示具本体に設けられた指示手段の拡大図
【発明を実施するための形態】
【００１０】
（第１実施例）
以下、本発明に係わる風呂水吸水ホース指示具の第１実施例について図４乃至図５を参照して説明する。
図４は、本実施例に係わる風呂水吸水ホース指示具の使用状況を示すものである。
浴室１には脱衣室１７が隣接して設けられ、この脱衣所１７には洗濯機１８が設置されている。浴室１には浴槽１４が設けられている。
【００１１】
洗濯水の給水手段において洗濯機１８の上部側カバー１９には水道水を洗濯水とする給水口２０が設けられており（図示せず）、同時に浴槽１４の残り湯X（水位を点鎖線で示す）を洗濯水とする給水口２１も設けられている（図示せず）。
【００１２】
洗濯機１８と浴槽１４とは風呂水吸水ホース１５により接続されている。風呂水吸水ホース１５の基端は洗濯機１８の給水口２1に接続されており、先端は浴槽１４の（残り湯X）底部へ配置されている。洗濯機１８と浴槽１４が風呂水吸水ホース１５により接続されている間、風呂水吸水ホース１５が浴槽１４内上方部で本発明の風呂水吸水ホース指示具の支持手段１３に内通することで、所定位置に保持及び風呂水吸水ホース１５先端の（浄化）フィルター１６を浴槽１４底部（残り湯X）の残り湯最終溜まり場、排水口３（図５参照）へ指示する構成としている。
【００１３】
本発明の風呂水吸水ホース指示具を浴室壁２５若しくは浴槽璧２へ吸着部材９（図１、図６参照）で吸着させるが、吸着力を高めるため、圧力式吸着補助部材８を備えている。図６、図７が示すように未使用時においては吸着部材９及び圧力式吸着補助部材８は指示具本体１１の平面寄りに位置する。
【００１４】
請求項２によれば、図１の指示具本体１１は浴槽１４の底部、排水口３の位置により図２の指示具本体の伸縮部材１０が伸縮可能な構成とし、指示具本体１１の内面一部と伸縮部材１０の表面一部にはネジ状の溝が刻まれており（図示せず）伸縮部材１０を回転させると伸縮調整が可能である。
【００１５】
請求項３によれば、（図９参照）指示手段は風呂水吸水ホース１５を内通させるリング状部材１３で構成されており、風呂水吸水ホース１５の口径が大小異なる事も考慮し、輪が大小変化するもので構成し対応可能とする。
【００１６】
請求項４によれば、指示手段のリング状部材１３の一部７は洗濯中の洗濯機の振動や洗濯からなる水圧の振動で風呂水吸水ホース１５の縦の位置が動かぬようゴム材（図示せず）を使用している。
【実施例】
【００１７】
図６の本発明の風呂水吸水ホース指示具の吸着部材９を浴槽14底部排水口３上方の浴室壁２５もしくは浴槽壁２へ吸着させ、図７、図５の示すように浴槽１４の中心方面へ押し倒し設置する。次に浴槽１４内底部排水口３の位置により図２の示すように指示具本体１０を回転させ伸縮幅を決定する。
洗濯機に接続している風呂水吸水ホース１５の先端（浄化）フィルター１６の吸水口４側面が浴槽１４底部排水口3へ垂直に垂下、配置するよう風呂水吸水ホース１５の長さを適宜に調整し風呂水吸水ホース指示具に設けられた指示手段のリング状部材１３に風呂水吸水ホース１５を内通させ固定する。
【００１８】
次に上記構成の作用、効果について以下に説明する。
本発明、着脱可能且つ伸縮可能な風呂水吸水ホース指示具と風呂水吸水ホース１５との接合により、風呂水吸水ホース１５浴槽側先端（浄化）フィルター１６を浴槽１４内底部排水口３（残り湯最終溜り場）へ垂直に垂下することが容易になる。残り湯がなくなる最後まで吸水口４が冠水している。（浄化）フィルター１６も直径が約５センチから８センチの物となるが、吸水可能な水嵩が２センチ前後変わり、吸水量も約５リットル〜１０リットル吸水可能になり、同時に水道水も約５リットル〜１０リットル節水可能となる。
【００１９】
浴室壁２５や浴槽壁２、風呂水吸水ホース１５を加工、工事することなく節水が可能となる。
【図１】
2014150831.tif 000003
【図２】
2014150831.tif 000004
【図３】
2014150831.tif 000005
【図４】
2014150831.tif 000006
【図５】
2014150831.tif 000007
【図６】
2014150831.tif 000008
【図７】
2014150831.tif 000009
【図８】
2014150831.tif 000010
【図９】
2014150831.tif 000011